(57)【特許請求の範囲】
【請求項１】
直流電力の充放電が可能な電源装置であって、
電池セルと該電池セルの電圧・電流を監視する監視基板とをモジュール化した少なくとも１つの電池モジュールと、
チョークコイルと第１スイッチング素子と第２スイッチング素子と出力コンデンサとを有し、前記電池モジュールに対して充放電される直流電力の電力変換を行う電力変換回路と、
前記直流電力を充電又は放電させるべき旨を示す指令信号と前記出力コンデンサの電圧との差を示す電圧誤差信号を零にする電圧制御信号を求める自動電圧制御器と、
前記電池モジュールに設けられた前記監視基板の監視結果を参照しつつ、前記電圧制御信号に基づき電流指令値を求める電流指令値生成部と、
前記チョークコイルを流れる電流と前記電流指令値との差を示す電流誤差信号を零にする電流制御信号を求める自動電流制御器と、
前記電流制御信号に基づき前記第１スイッチング素子と前記第２スイッチング素子とをスイッチング動作させて前記直流電力の電力量を制御する制御部と
を備えることを特徴とする電源装置。
【請求項２】
前記制御部は、前記監視基板との間でシリアル通信を行って、前記電池モジュールに設けられた前記監視基板の監視結果を参照することを特徴とする請求項１記載の電源装置。
【請求項３】
前記監視基板の監視結果を示す情報と前記電力変換回路の制御量を示す前記電流指令値とを含む信号の入出力が可能な信号入出力端を備えることを特徴とする請求項１又は請求項２記載の電源装置。
【請求項４】
直流電力の充放電が可能な電源システムであって、
直流電力の入出力が行われる電源入出力端が並列に接続されるとともに、前記信号入出力端が互いに接続された請求項３記載の電源装置を複数備えており、
前記複数の電源装置のうちの１つは、前記指令信号から前記複数の電源装置の各々に設けられた前記電力変換回路の制御量を示す前記電流指令値を求め、前記電流指令値に基づいて自装置が備える前記電力変換回路を制御するとともに前記電流指令値を含む信号を前記信号入出力端から出力するマスター電源装置とされ、
前記複数の電源装置のうちの残りは、前記マスター電源装置から出力されて前記信号入出力端を介して入力される信号を前記指令信号として用いて前記信号に含まれる前記電流指令値に基づいて自装置が備える前記電力変換装置を制御するスレーブ電源置とされることを特徴とする電源システム。
【請求項５】
前記マスター電源装置は、前記マスター電源装置及び前記スレーブ電源装置で充放電される電力量が均等になるように、前記電流指令値を求めることを特徴とする請求項４記載の電源システム。
【請求項６】
請求項４又は請求項５に記載の電源システムを制御する電源システム制御方法であって、
マスター電源装置及びスレーブ電源装置のそれぞれの電流分担は、前記マスター電源装置及び前記スレーブ電源装置の電池残量の総和に対する、それぞれの前記マスター電源装置及び前記スレーブ電源装置の電池残量の比とすることを特徴とする電源システム制御方法。
【請求項７】
請求項４又は請求項５に記載の電源システムを制御する電源システム制御方法であって、
マスター電源装置及びスレーブ電源装置のそれぞれの電流分担は、前記マスター電源装置及び前記スレーブ電源装置の放電深度の総和に対する、それぞれの前記マスター電源装置及び前記スレーブ電源装置の放電深度の比とすることを特徴とする電源システム制御方法。
【発明の詳細な説明】
【技術分野】
【０００１】
本発明は、直流電力の充放電が可能な電源装置、電源システム及び電源システム制御方法に関する。
【背景技術】
【０００２】
近年、温室効果ガスの一種である二酸化炭素（ＣＯ2）の排出量を低減すべく、モータが動力発生源として盛んに用いられている。例えば、自動車等の車両では、一般的に動力発生源としてエンジン等の内燃機関が用いられていたが、近年では動力発生源としてエンジンとモータとを併用するハイブリッド自動車（ＨＶ：Hybrid Vehicle）や動力発生源としてモータのみを用いる電気自動車（ＥＶ：Electric Vehicle）の研究・開発が盛んに行われている。
【０００３】
モータを動力発生源として用いる装置では、直流電力の充放電が可能なリチウムイオン二次電池等の二次電池が電源として用いられる。一般的に、二次電池は、複数の電池モジュールと、これら電池モジュールの状態を統合して管理・制御する管理制御装置とから構成される。ここで、上記の電池モジュールは、複数の単電池セルが積層されてなる電池セルと、電池セルの電圧・電流等を監視する監視基板とをモジュール化したものである。また、上記の管理制御装置は、各電池モジュールに設けられる監視基板の監視結果を統合して二次電池全体の電池状態を求め、その電池状態を外部に通知する。
【０００４】
二次電池を電源とするシステムを構築する場合に、システム設計者は、二次電池、二次電池の充放電を制御するＤＣ／ＤＣコンバータ、及び制御対象の電気機器を駆動するインバータ等の機器を個別に用意し、これらの機器をシステムの仕様に適合するように組み合わせる必要がある。大容量のシステムを構築する場合にも同様に、大容量の二次電池（例えば、数メガワット）と大容量のコンバータとを個別に入手してシステムの仕様に合わせた組み合わせを行う必要がある。
【０００５】
以下の特許文献１，２には、大容量のコンバータ及びインバータの一例が開示されている。具体的に、以下の特許文献１には、建設機械等の特殊用途に用いられる大容量の昇降圧コンバータの一例が開示されている。また、以下の特許文献２には、太陽光発電システムで用いられ、太陽電池が発電する直流電力を交流電力に変換するパワーコンディショナ（インバータ）の一例が開示されている。
【先行技術文献】
【特許文献】
【０００６】
【特許文献１】特開２００９−２７８６７号公報
【特許文献２】特許第３７９６４６０号公報
【発明の概要】
【発明が解決しようとする課題】
【０００７】
ところで、二次電池を電源とするシステムを上述した手法で構築する場合には、組み合わせを行う機器が備える主回路の仕様や入出力信号の仕様を詳細に検討する必要がある。例えば、ある機器からどのような信号を出力させ、その信号をどの機器に入力させるか等の信号の取り合いを一つ一つ具体的に検討する必要がある。このため、システム設計に多大な手間及び時間を要するという問題がある。
【０００８】
また、組み合わせの対象となる機器は個別に制御装置を備えているため、これらの機器の組み合わせを行うと制御装置の数が多くなる。例えば、二次電池とＤＣ／ＤＣコンバータとを組み合わせる場合には、ＤＣ／ＤＣコンバータに設けられた制御装置を二次電池に設けられた制御装置（管理制御装置）に接続し、ＤＣ／ＤＣコンバータに設けられた制御装置が二次電池の管理制御装置で求められる電池状態を参照しつつ、ＤＣ／ＤＣコンバータの制御を行うことになる。このように、制御装置の数が増大することによってシステム全体でコストの上昇を招いてしまうという問題があった。
【０００９】
また、ある大容量のシステムの仕様に合わせて設計された大容量の二次電池は、そのシステムで使用する分には最適の二次電池であると考えられる。しかしながら、仕様が異なる他のシステムに用いることが難しく、汎用性が低いという問題があった。汎用性が低いと、大容量のシステム毎に専用の二次電池を設計する必要があることから、必然的に高コストになるという問題も生ずる。
【００１０】
本発明は、上記事情に鑑みてなされたものであり、汎用性が高く低コストであり、システム設計を容易に行うことができる電源装置、電源システム及び電源システム制御方法を提供することを目的とする。
【課題を解決するための手段】
【００１１】
上記課題を解決するために、本発明の電源装置は、直流電力の充放電が可能な電源装置（１）であって、電池セル（１１）と該電池セルの電圧・電流を監視する監視基板（１２）とをモジュール化した少なくとも１つの電池モジュール（１０）と、チョークコイル（２２）と第１スイッチング素子（２３ａ）と第２スイッチング素子（２３ｂ）と出力コンデンサ（２６）とを有し、電池モジュールに対して充放電される直流電力の電力変換を行う電力変換回路（２０）と、直流電力を充電又は放電させるべき旨を示す指令信号と出力コンデンサの電圧との差を示す電圧誤差信号を零にする電圧制御信号を求める自動電圧制御器（４２）と、電池モジュールに設けられた監視基板の監視結果を参照しつつ、電圧制御信号に基づき電流指令値を求める電流指令値生成部（４３）と、チョークコイルを流れる電流と電流指令値との差を示す電流誤差信号を零にする電流制御信号を求める自動電流制御器（４５）と、電流制御信号に基づき第１スイッチング素子と第２スイッチング素子とをスイッチング動作させて直流電力の電力量を制御する制御部（４０）とをユニット化してなることを特徴としている。
【００１２】
また、本発明の電源装置は、制御部が、監視基板の監視結果に加えて、電池モジュールの出力電圧、電池モジュールに流れる電流、及び電力変換回路の出力電圧を参照しつつ、電力変換回路で変換される直流電力の電力量を制御することを特徴としている。
【００１３】
また、本発明の電源装置は、制御部が、監視基板との間でシリアル通信を行って、電池モジュールに設けられた監視基板の監視結果を参照することを特徴としている。
【００１４】
また、本発明の電源装置は、監視基板の監視結果を示す情報と電力変換回路の制御量を示す情報とを含む信号の入出力が可能な信号入出力端（Ｔ２２）を備えることを特徴としている。
【００１５】
本発明の電源システムは、直流電力の充放電が可能な電源システム（ＰＳ）であって、直流電力の入出力が行われる電源入出力端（Ｔ１１、Ｔ１２）が並列接続されるとともに、信号入出力端（Ｔ２２）が互いに接続された上記の電源装置を複数備えており、電源装置のうちの１つは、外部から入力される指令信号から電源装置の各々に設けられた電力変換回路の制御量を示す情報を求め、当該情報に基づいて自装置が備える電力変換回路を制御するとともに当該情報を含む信号を信号入出力端から出力するマスター電源装置（Ｍ）とされ、電源装置のうちの残りは、マスター電源装置から出力されて信号入出力端を介して入力される信号を指令信号として用いて信号に含まれる当該情報に基づいて自装置が備える電力変換回路を制御するスレーブ電源装置（Ｓ）とされることを特徴としている。
【００１６】
また、本発明の電源システムは、マスター電源装置が、マスター電源装置及びスレーブ電源装置で充放電される電力量が均等になるように、当該情報を求めることを特徴としている。
【００１７】
本発明の電源システム制御方法は、マスター電源装置及びスレーブ電源装置のそれぞれの電流分担は、マスター電源装置及びスレーブ電源装置の電池残量の総和に対する、それぞれのマスター電源装置及びスレーブ電源装置の電池残量の比とすることを特徴としている。
【００１８】
本発明の電源システム制御方法は、マスター電源装置及びスレーブ電源装置のそれぞれの電流分担は、マスター電源装置及びスレーブ電源装置の放電深度の総和に対する、それぞれのマスター電源装置及びスレーブ電源装置の放電深度の比とすることを特徴としている。
【発明の効果】
【００１９】
本発明によれば、汎用性が高く低コストであり、システム設計を容易に行うことができる電源装置、電源システム及び電源システム制御方法を提供することができる。
【００２０】
本発明によれば、電池セルと監視基板とをモジュール化した電池モジュールと、電池モジュールに対して充放電される直流電力の電力変換を行う電力変換回路と、監視基板の監視結果を参照しつつ、外部から入力される指令信号に応じて電力変換回路で変換される直流電力の電力量を制御する制御部とがユニット化されているため、汎用性が高く低コストであり、システム設計を容易に行うことができるという効果がある。
【図面の簡単な説明】
【００２１】
【図１】本発明の一実施形態による電源装置の要部構成を示す回路図である。
【図２】本発明の一実施形態による電源システムの要部構成を示す回路図である。
【図３】本発明の一実施形態による電源システムの昇圧（放電）運転時の制御方法を示す概念図である。
【図４】本発明の一実施形態による電源システムの降圧（充電）運転時の制御方法を示す概念図である。
【発明を実施するための形態】
【００２２】
以下、図面を参照して本発明の一実施形態による電源装置、電源システム及び電源システム制御方法について詳細に説明する。尚、以下では、まず電源装置について説明し、次いで電源装置を備える電源システム及び電源システム制御方法について説明する。
【００２３】
〔電源装置〕
図１は、本発明の一実施形態による電源装置の要部構成を示す回路図である。図１に示す通り、本実施形態の電源装置１は、複数の電池モジュール１０、ＤＣ／ＤＣコンバータ２０（電力変換回路）、電流センサ３１、電圧センサ３２，３３、及びコントローラ４０（制御部）をユニット化したものであり、一対の電源入出力端Ｔ１１，Ｔ１２を介して直流電力の充放電が可能な電源装置（所謂、バイポーラ電源装置）である。
【００２４】
電池モジュール１０は、電池セル１１と電池監視基板１２（監視基板）とをモジュール化したものであり、電源装置１内において直列接続されている。尚、電池モジュール１０の数（直列接続数）は、電源装置１の出力電圧や容量等の仕様に応じて適宜設定される。ここで、電池セル１１は、リチウムイオン二次電池セル等の単電池セルを複数積層したものである。また、電池監視基板１２は、電池セル１１の電圧・電流等を監視する基板であり、電池セル１１毎に設けられる。
【００２５】
ＤＣ／ＤＣコンバータ２０は、直列接続された電池モジュール１０と一対の電源入出力端Ｔ１１，Ｔ１２との間に設けられており、コントローラ４０の制御の下で、電池モジュール１０から放電される直流電力、或いは電池モジュール１０に充電される直流電力（一対の電源入出力端Ｔ１１，Ｔ１２を介して入力される直流電力）の電力変換を行う。このＤＣ／ＤＣコンバータ２０は、コンデンサ２１、チョークコイル２２、トランジスタ２３ａ，２３ｂ、ダイオード２４ａ，２４ｂ、スナバ回路２５ａ，２５ｂ、及びコンデンサ２６を備える。
【００２６】
コンデンサ２１は、直列接続された電池モジュール１０のうちの一方の端部に位置する電池モジュール１０の正電極と他方の端部に位置する電池モジュール１０の負電極との間に接続されている。尚、電池モジュール１０の負電極は、電源入出力端Ｔ１２に接続されている。このコンデンサ２１は、電源装置１の充電時（電池モジュール１０の充電時）に、電池モジュール１０に供給される電力を平滑化して直流電流にするために設けられる。
【００２７】
チョークコイル２２は、一端がコンデンサ２１の一方の電極（電池モジュール１０の正電極に接続された電極）に接続されており、他端がトランジスタ２３ａのコレクタ電極とトランジスタ２３ｂのエミッタ電極との接続点に接続されている。トランジスタ２３ａ，２３ｂは、バイポーラトランジスタであり、コントローラ４０によってオン状態及びオフ状態が制御される。尚、トランジスタ２３ａ，２３ｂとしてＦＥＴトランジスタ（Field Effect Transistor：電界効果トランジスタ）を用いることも可能である。
【００２８】
トランジスタ２３ａは、コレクタ電極がトランジスタ２３ｂのエミッタ電極及びチョークコイル２２の他端に接続されており、エミッタ電極がコンデンサ２１の他方の電極（電池モジュール１０の負電極及び電源入出力端Ｔ１２に接続された電極）に接続されている。また、トランジスタ２３ｂは、エミッタ電極がトランジスタ２３ａのコレクタ電極及びチョークコイル２２の他端に接続されており、コレクタ電極がコンデンサ２６の一方の電極及び電源入出力端Ｔ１１に接続されている。これらトランジスタ２３ａ，２３ｂのベース電極はコントローラ４０に接続されている。
【００２９】
ダイオード２４ａ，２４ｂは、トランジスタ２３ａ，２３ｂのコレクタ・エミッタ間にそれぞれ接続されている。具体的に、ダイオード２４ａは、アノード電極がトランジスタ２３ａのエミッタ電極に接続され、カソード電極がトランジスタ２３ａのコレクタ電極に接続されている。また、ダイオード２４ｂは、アノード電極がトランジスタ２３ｂのエミッタ電極に接続され、カソード電極がトランジスタ２３ｂのコレクタ電極に接続されている。
【００３０】
スナバ回路２５ａ，２５ｂは、コンデンサと抵抗とを直列接続したスパイク・ノイズを吸収する回路であり、トランジスタ２３ａ，２３ｂのコレクタ・エミッタ間にそれぞれ接続されている。コンデンサ２６は、一対の電源入出力端Ｔ１１，Ｔ１２の間に接続されている。このコンデンサ２６は、電源装置１の放電時に、電源入出力端Ｔ１１，Ｔ１２から外部に出力される電力を平滑化して直流電流にするために設けられる。
【００３１】
電流センサ３１は、電池モジュール１０の正電極とＤＣ／ＤＣコンバータ２０とを接続する電流路に取り付けられており、電池モジュール１０から流出する電流（放電電流）、及び電池モジュール１０に流入する電流（充電電流）を検出する。電圧センサ３２は、コンデンサ２１に対して並列に取り付けられており、コンデンサ２１の電位差（直列接続された電池モジュール１０の両端に現れる電圧）を検出する。電圧センサ３３は、コンデンサ２６に対して並列に取り付けられており、コンデンサ２６の電位差（電源入出力端Ｔ１１，Ｔ１２間に現れる電圧）を検出する。これら電流センサ３１及び電圧センサ３２，３３の検出結果を示す検出信号はコントローラ４０に出力される。
【００３２】
コントローラ４０は、電池モジュール１０の各々に設けられた電池監視基板１２の監視結果を参照しつつ、信号入出力端Ｔ２１から入力される指令信号に応じて、ＤＣ／ＤＣコンバータ２０で変換される直流電力の電力量を制御する。このように、電池モジュール１０の状態の管理（参照）とＤＣ／ＤＣコンバータ２０の制御とを一括して行うコントローラ４０を設けるのは、コントローラの総数を減らしてコストの低減を図るためである。
【００３３】
具体的に、コントローラ４０は、電池監視基板１２の監視結果に加えて電流センサ３１及び電圧センサ３２，３３の検出結果を示す検出信号を参照し、これらの信号と信号入出力端Ｔ２１を介して入力される指令信号（電圧指令信号又は電流指令信号）との差を示す誤差を求める。そして、誤差信号が零となるように、ＤＣ／ＤＣコンバータ２０に設けられたトランジスタ２３ａ，２３ｂのスイッチング動作（ＰＷＭ（Pulse Width Modulation：パルス幅変調）スイッチング動作）を制御する。
【００３４】
コントローラ４０が、トランジスタ２３ｂをオフ状態にし、トランジスタ２３ａをスイッチング動作させると、ＤＣ／ＤＣコンバータ４０は非絶縁型昇圧チョークコンバータとして動作する。このため、電池モジュール１０から放電された直流電力は、電圧が昇圧されて電源入出力端Ｔ１１，Ｔ１２を介して外部に出力される。尚、かかる動作は、電源装置１（電池モジュール１０）から直流電力を放電させる場合に行われる。
【００３５】
これに対し、トランジスタ２３ａをオフ状態にし、トランジスタ２３ｂをスイッチング動作させると、ＤＣ／ＤＣコンバータ４０は、非絶縁型降圧チョークコンバータとして動作する。このため、外部から電源入出力端Ｔ１１，Ｔ１２を介して入力された直流電力は、電圧が降圧されて直列接続された電池モジュール１０に供給される。尚、かかる動作は、電源装置１（電子モジュール１０）を充電する場合に行われる。
【００３６】
ここで、コントローラ４０と各電池モジュール１０とは、例えばＣＡＮ（Controller Area Network）バス等のシリアルバスによって接続されており、コントローラ４０は、このシリアルバスを介して各電池モジュール１０に設けられた電池監視基板１２とシリアル通信を行って監視結果を参照する。尚、コントローラ４０は、電池監視基板１２の監視結果を示す情報、及びＤＣ／ＤＣコンバータ２０の制御量（例えば、電流指令値）を示す情報を含む信号を、信号入出力端Ｔ２２を介して入出力することが可能である。このような信号の入出力は、例えば電源装置１の外部に設けられたＣＡＮバス等のシリアルバスに信号入出力端Ｔ２２を接続することで可能になる。
【００３７】
コントローラ４０は、ハードウェアにより実現されていても良く、ソフトウェアにより実現されていても良い。ソフトウェアにより実現する場合には、コントローラ４０をＣＰＵ（中央処理装置）、ＲＯＭ（Read Only Memory ）、ＲＡＭ（Random Access Memory）等を用いて構成し、上述したコントローラ４０の機能を実現するプログラムをＣＰＵに読み込ませて実行させることにより実現される。尚、コントローラ４０の機能を実現するプログラムは、ＲＯＭに記憶させておいても良く、或いは、信号入出力端Ｔ２２を介した通信を行ってコントローラ４０に入力させるようにしても良い。
【００３８】
次に、上記構成における電源装置１の動作について説明する。電源装置１の動作は、電源入出力端Ｔ１１，Ｔ１２を介して外部に直流電力を放電する放電動作と、外部から電源入出力端Ｔ１１，Ｔ１２を介して入力される直流電力を用いて電池モジュール１０を充電する充電動作とに大別される。以下、各々の動作について順に説明する。
【００３９】
［放電動作］
直流電力を放電させるべき旨を示す指令信号（例えば、電圧指令信号）が信号入出力端Ｔ２１を介して入力されると、コントローラ４０は、まず入力された電圧指令信号と電圧センサ３３の検出結果との差分を電圧誤差信号として算出し、この電圧誤差信号を零にする制御信号（電圧制御を行うための制御信号）を求める。次に、コントローラ４０は、電池モジュール１０に設けられた電池監視基板１２の監視結果を参照しつつ、求めた制御信号に基づいて電流指令値を求める。この電流指令値は、ＤＣ／ＤＣコンバータ２０で変換させる直流電力の電力量を指示する指令値である。
【００４０】
次いで、コントローラ４０は、求めた電流指令値と電流センサ３１の検出結果との差分を電流誤差信号として算出し、この電流誤差信号を零にする制御信号（電流制御を行うための制御信号）を求める。そして、コントローラ４０は、トランジスタ２３ｂをオフ状態にするとともに、上記の制御信号に基づいてトランジスタ２３ａをスイッチング動作させる。すると、電池モジュール１０から放電された直流電力は、ＤＣ／ＤＣコンバータ２０で電圧が昇圧されて電源入出力端Ｔ１１，Ｔ１２を介して外部に出力される。このようにして電源装置１の放電動作が行われる。
【００４１】
［充電動作］
直流電力を充電させるべき旨を示す指令信号（例えば、電圧指令信号）が信号入出力端Ｔ２１を介して入力されると、コントローラ４０は、上述した放電動作と同様に、まず入力された電圧指令信号と電圧センサ３３の検出結果との差分を電圧誤差信号として算出し、この電圧誤差信号を零にする制御信号（電圧制御を行うための制御信号）を求める。次に、コントローラ４０は、電池モジュール１０に設けられた電池監視基板１２の監視結果を参照しつつ、求めた制御信号に基づいてＤＣ／ＤＣコンバータ２０で変換させる直流電力の電力量を指示する指令値である電流指令値を求める。
【００４２】
次いで、コントローラ４０は、求めた電流指令値と電流センサ３１の検出結果との差分を電流誤差信号として算出し、この電流誤差信号を零にする制御信号（電流制御を行うための制御信号）を求める。そして、コントローラ４０は、トランジスタ２３ａをオフ状態にするとともに、上記の制御信号に基づいてトランジスタ２３ｂをスイッチング動作させる。すると、外部からＴ１１，Ｔ１２を介して入力された直流電力は、ＤＣ／ＤＣコンバータ２０で電圧が高圧されて直列接続された電池モジュール１０に供給される。このようにして電源装置１の充電動作が行われる。
【００４３】
以上の通り、本実施形態の電源装置１は、電池セル１１と電池監視基板１２とをモジュール化した電池モジュール１０と、ＤＣ／ＤＣコンバータ２０と、電池監視基板１２の監視結果を参照しつつ、ＤＣ／ＤＣコンバータ２０で変換される直流電力の電力量を制御するコントローラ４０とをユニット化したものである。このため、二次電池を電源とするシステムを構築する場合に従来は必要であった信号の取り合い等を検討する必要が無く、容易且つ短時間でシステム設計を行うことができる。
【００４４】
また、電池モジュール１０の状態の管理（参照）とＤＣ／ＤＣコンバータ２０の制御とを一括して行うコントローラ４０を設けているため、コントローラの総数を減らすことができ、この結果としてコストの低減を図ることができる。また、電源装置１はＤＣ／ＤＣコンバータ２０を備えているため、直流電源を用意するだけで充電が可能である。更に、電源装置１はユニット化されたものであり、必要に応じて複数を直列接続或いは並列接続することができるため、汎用性を高めることができ、コスト低減を図ることができる。
【００４５】
〔電源システム〕
図２は、本発明の一実施形態による電源システムの要部構成を示す回路図である。図２に示す通り、本実施形態の電源システムＰＳは、電源入出力端Ｔ１１，Ｔ１２が並列接続されるとともに信号入出力端Ｔ２２が互いに接続された複数の電源装置１を備えており、直流電力の充放電が可能である。複数の電源装置１が並列接続されていることにより、容量を増大させることができる。この電源システムＰＳは、例えば直流電力を交流電力に変換するインバータＩＮＶに接続される。
【００４６】
これら複数の電源装置１のうちの１つがマスター電源装置Ｍとされ、残りがスレーブ電源装置Ｓとされている。尚、図２においては、図示を簡略化するために、マスター電源装置Ｍ及びスレーブ電源装置Ｓが備える電圧センサ３２と、スレーブ電源装置Ｓが備える電圧センサ３３との図示を省略している。また、ＤＣ／ＤＣコンバータ２０に設けられるスナバ回路２５ａ，２５ｂの図示も省略している。
【００４７】
ここで、マスター電源装置Ｍは、充放電すべき直流電力の電力量を示す指令信号Ｃが入力されて、マスター電源装置Ｍ及びスレーブ電源装置Ｓの各々で充放電すべき直流電力の電力量を統括制御する電源装置である。また、スレーブ電源装置Ｓは、マスター電源装置Ｍの制御の下で、直流電力の充放電を行う電源装置である。
【００４８】
具体的に、マスター電源装置Ｍは、外部から入力される指令信号Ｃから、マスター電源装置Ｍ及びスレーブ電源装置Ｓが備えるＤＣ／ＤＣコンバータ２０の制御量を示す情報（例えば、電流指令値）を求める。そして、この情報に基づいて自ら備えるＤＣ／ＤＣコンバータ２０を制御するとともに、この情報を含む信号を信号入出力端Ｔ２２を介してスレーブ電源装置Ｓに出力する。スレーブ電源装置Ｓは、マスター電源装置Ｍから出力されて信号入出力端Ｔ２２を介して入力される信号に含まれる情報に基づいて自ら備えるＤＣ／ＤＣコンバータ２０を制御する。
【００４９】
マスター電源装置Ｍとスレーブ電源装置Ｓの基本的な構成は同じであり、設定によってマスター電源装置Ｍとされるのか、スレーブ電源装置Ｓとされるのかが決定される。例えば、電源装置１の各々を識別するために割り当てられる識別番号が「０」である場合にはマスター電源装置Ｍとされ、「０」以外である場合にはスレーブ電源Ｓとされる。また、コントローラ４０で用いるプログラムの種類に応じてマスター電源装置Ｍとされるのか、スレーブ電源装置Ｓとされるのかを決定しても良い。
【００５０】
図２に示す例では、マスター電源装置Ｍに設けられるコントローラ４０は、演算器４１、自動電圧制御器（ＡＶＲ：Automatic Voltage Regulator）４２、電流指令値生成部４３、演算器４４、自動電流制御器（ＡＣＲ：Automatic Current Regulator）４５、及びＰＷＭ制御器４６を備える。尚、これらは、例えばコントローラ４０の機能を実現するプログラムとＣＰＵ等のハードウェア資源とが協働することにより実現される。
【００５１】
演算器４１は、外部から入力される指令信号Ｃ（例えば、電圧指令信号）から、電圧センサ３３の検出結果を減算することにより、これらの差を示す電圧誤差信号を求める。自動電圧制御器４２は、演算器４１から出力される電圧誤差信号を零とする制御信号を出力する。電流指令値生成部４３は、電池モジュール１０の監視結果を参照しつつ、自動電圧制御器４２からの制御信号に基づいて、マスター電源装置Ｍ及びスレーブ電源装置Ｓが備えるＤＣ／ＤＣコンバータ２０の各々で変換させる直流電力の電力量を指示する指令値である電流指令値を求める。具体的に、電流指令値生成部４３は、マスター電源装置Ｍ及びスレーブ電源装置Ｓの各々で充放電される電力量が均等になるように電流指令値を求める。尚、スレーブ電源装置Ｓに対する電流指令値は、信号入出力端Ｔ２２を介してスレーブ電源装置Ｓに出力される。
【００５２】
演算器４４は、電流指令値生成部４３で生成された電流指令値から、電流センサ３１の検出結果を減算することにより、これらの差を示す電流誤差信号を求める。自動電流制御器４５は、演算器３４から出力される電流誤差信号を零とする制御信号を生成して出力する。ＰＷＭ制御器４６は、自動電流制御器４５からの制御信号に基づいて、ＤＣ／ＤＣコンバータ２０に設けられたトランジスタ２３ａ，２３ｂをスイッチング動作（ＰＷＭスイッチング動作）させる。
【００５３】
また、図２に示す例ではスレーブ電源装置Ｓに設けられるコントローラ４０は、電流指令値生成部５０、演算器４４、自動電流制御器４５、及びＰＷＭ制御器４６を備える。尚、演算器４４〜ＰＷＭ制御器４６は、マスター電源装置Ｍに設けられたものと同様のものである。電流指令生成部５０は、電池モジュール１０の監視結果を参照しつつ、マスター電源装置Ｍから出力されて信号入出力端Ｔ２２を介して入力される電流指令値から、自らが用いる電流指令値を生成する。例えば、電池モジュール１０の残容量が少なく、マスター電源装置Ｍからの電流指令値で示される電流を放電することができない場合には、放電量を制限する電流指令値を生成する（リミッタ処理）。
【００５４】
上記構成における電源システムＰＳの動作は、マスター電源装置Ｍ及びスレーブ電源装置Ｓの各々から電源入出力端Ｔ１１，Ｔ１２を介して外部に直流電力を放電する放電動作と、外部から電源入出力端Ｔ１１，Ｔ１２を介して入力される直流電力を用いてマスター電源装置Ｍ及びスレーブ電源装置Ｓの各々に設けられた電池モジュール１０を充電する充電動作とに大別される。但し、スレーブ電源装置Ｓに対する電流指令値がマスター電源装置Ｍで生成され、この電流指令値に基づいてスレーブ電源装置Ｓで充放電が行われる点を除いて、電源システムＰＳの放電動作及び充電動作は、前述した電源装置１の放電動作及び充電動作と同様である。このため、電源システムＰＳの動作の詳細については説明を省略する。
【００５５】
本実施形態の電源システムＰＳは、電池モジュール１０、ＤＣ／ＤＣコンバータ２０、及びコントローラ４０等がユニット化された電源装置１を並列接続してなるものである。このため、電源装置１の並列接続数を変えるだけで容易に電源システムＰＳの容量を増減させることができ、汎用性を高めることができる。しかも、電源システムＰＳの運転中に、電源システムＰＳを停止させることなく電源装置１の並列接続数を変えることができる。また、本実施形態の電源システムＰＳは、電源装置１を並列接続してなるものであるため、容易且つ短時間で大容量のシステム設計を行うことができ、コントローラの総数を減らすこともでき、コスト低減を図ることもできる。
【００５６】
〔電源システム制御方法〕
図３は、本発明の一実施形態による電源システムの昇圧（放電）運転時の制御方法を示す概念図である。図３に示す概念図では、電源システムは、電池モジュール１０、ＤＣ／ＤＣコンバータ２０、及びコントローラ４０等がユニット化された電源装置１（ユニット）が並列に接続されている。各ユニットは、それぞれ出力する電流を分担することとなっており、その電流分担の制御方法について説明する。
【００５７】
各ユニットは、それぞれの電池残量（ＳＯＣ）をユニット間の通信バス（図示せず）に送信する。昇圧（放電）運転時の各ユニットは、通信バスに送信されたそれぞれの電池残量（ＳＯＣ）を基に分担する電力量を決定する。
【００５８】
まず、マスター電源装置（マスターユニット）Ｍに備えられている演算器４１は、外部から入力される指令信号（例えば、出力電圧指令値）から、電圧センサの検出結果（例えば、出力電圧検出値）を減算することにより、これらの差を示す電圧誤差信号を求める。そして、マスター電源装置Ｍに備えられている自動電圧制御器４２は、演算器４１から出力される電圧誤差信号を零とする制御信号（例えば、電流指令値（ＡＶＲ出力））を出力する。マスター電源装置Ｍは、電圧制御を行い、電流指令値を各スレーブ電源装置（スレーブユニット）Ｓに通信バスを介して送信する。
【００５９】
そして、マスター電源装置Ｍ及び各スレーブ電源装置Ｓの電流指令値生成部４３，５０は、電流指令値に対する自ユニットの電流分担を演算する。具体的には、自ユニットの電流分担は、全ユニットの電池残量（ＳＯＣ）の総和に対する自ユニットの電池残量（ＳＯＣ）の比とする。各ユニットは、演算された電流分担に基づいて、電流制御（ＡＣＲ）を行う。このとき、電流指令値生成部４３，５０は、電池モジュール１０の残容量が少なく、マスター電源装置Ｍからの電流指令値で示される電流を放電することができない場合には、放電量を制限する電流指令値を生成する（リミッタ処理）。
【００６０】
スレーブ電源装置Ｓである各ユニットは、ユニット交換等の何らかの理由で停止させる場合に、自ユニットの電池残量（ＳＯＣ）を零であるとして、通信バスに送信する。電池残量が零である場合には、電流分担も零となり、電流を放電しない状態になる。
【００６１】
そして、演算器４４は、電流指令値生成部４３，５０で生成された自ユニットの電流分担である電流指令値から、電流センサ３１の検出結果を減算することにより、これらの差を示す電流誤差信号を求める。自動電流制御器４５は、演算器３４から出力される電流誤差信号を零とする制御信号を生成して出力する。ＰＷＭ制御器４６は、自動電流制御器４５からの制御信号に基づいて、ＤＣ／ＤＣコンバータ２０に設けられたトランジスタ２３ａ，２３ｂをスイッチング動作（ＰＷＭスイッチング動作）させる。
【００６２】
図４は、本発明の一実施形態による電源システムの降圧（充電）運転時の制御方法を示す概念図である。図４に示す概念図では、ユニットが並列に接続されている。各ユニットは、それぞれ出力する電流を分担することとなっており、その電流分担の制御方法について説明する。
【００６３】
各ユニットは、それぞれの電池残量（ＳＯＣ）をユニット間の通信バス（図示せず）に送信する。放電深度（ＤＯＤ）は、電池残量（ＳＯＣ）から算出できる。具体的には、ＤＯＤ＝１００−ＳＯＣ・・・・・（１）で算出することができる。降圧（充電）運転時の各ユニットは、算出された放電深度（ＤＯＤ）を基に分担する電力量を決定する。
【００６４】
まず、電流指令値生成部４３，５０は、外部から入力される指令信号（例えば、充電電力指令値）を受信する。そして、電流指令値生成部４３，５０は、電流指令値に対する自ユニットの電流分担を演算する。具体的には、自ユニットの電流分担は、全ユニットの放電深度（ＤＯＤ）の総和に対する自ユニットの放電深度（ＤＯＤ）の比とする。各ユニットは、演算された電流分担に基づいて、電流制御（ＡＣＲ）を行う。このとき、電流指令値生成部４３，５０は、電池モジュール１０の残容量が少なく、マスター電源装置Ｍからの電流指令値で示される電流を放電することができない場合には、放電量を制限する電流指令値を生成する（リミッタ処理）。
【００６５】
スレーブ電源装置Ｓである各ユニットは、ユニット交換等の何らかの理由で停止させる場合に、自ユニットの放電深度（ＤＯＤ）を零であるとして、通信バスに送信する。放電深度が零である場合には、電流分担も零となり、電流を放電しない状態になる。
【００６６】
そして、演算器４４は、電流指令値生成部４３，５０で生成された自ユニットの電流分担である電流指令値から、電流センサ３１の検出結果を減算することにより、これらの差を示す電流誤差信号を求める。自動電流制御器４５は、演算器３４から出力される電流誤差信号を零とする制御信号を生成して出力する。ＰＷＭ制御器４６は、自動電流制御器４５からの制御信号に基づいて、ＤＣ／ＤＣコンバータ２０に設けられたトランジスタ２３ａ，２３ｂをスイッチング動作（ＰＷＭスイッチング動作）させる。
【００６７】
本発明の一実施形態に係る電源システム制御方法によれば、放電時は電池残量（ＳＯＣ）に応じて電流を分担するため、各ユニット間の電池残量を均等にすることができる。つまり、電池残量（ＳＯＣ）が多いユニットは多くの電流を分担し、電池残量（ＳＯＣ）が少ないユニットは少ない電流を分担することになる。
【００６８】
更に、本発明の一実施形態に係る電源システム制御方法によれば、充電時は放電深度（ＤＯＤ）に応じて電流を分担するため、各ユニット間の電池残量（ＤＯＤ）を均等にすることができる。
【００６９】
更に、本発明の一実施形態に係る電源システム制御方法によれば、一部のユニット(電池)が停止しても、運転を継続させながら、停止ユニット(電池)分の電流を他ユニット(電池)に速やかに分担させることができる。
【００７０】
以上、本発明の一実施形態による電源装置、電源システム、及び電源システム制御方法について説明したが、本発明は上記実施形態に制限されず、本発明の範囲内で自由に変更が可能である。例えば、上記実施形態で説明した電源システムでは、マスター電源装置Ｍに設けられたコントローラ４０の電流指令値生成部４３が、マスター電源装置Ｍ及びスレーブ電源装置Ｓの各々で充放電される電力量が均等になるような電流指令値を求める例について説明した。しかしながら、例えばマスター電源装置Ｍとスレーブ電源装置Ｓとの間で各々に設けられた電池モジュールの残容量を授受し、残容量に応じた電流指令値を求めるようにしても良い。
【００７１】
例えば、電源システムＰＳから直流電力を放電させる場合には、残容量の多い電池モジュールを備えるスレーブ電源装置Ｓに対しては、より多くの直流電力を放電させる電流指令値を求め、残容量の少ない電池モジュールを備えるスレーブ電源装置Ｓに対しては放電させる直流電力指令値を求める。また、電源システムＰＳを充電する場合には、残容量の多い電池モジュールを備えるスレーブ電源装置Ｓに対しては充電電流を抑える電流指令値を求め、残容量の少ない電池モジュールを備えるスレーブ電源装置Ｓに対しては充電源流を増大させる電流指令値を求める、といった具合である。
【符号の説明】
【００７２】
１…電源装置
１０…電池モジュール
１１…電池セル
１２…電池監視基板
２０…ＤＣ／ＤＣコンバータ
４０…コントローラ
４１，４４…演算器
４２…自動電圧制御器
４３，５０…電流指令値生成部
４５…自動電流制御器
４６…ＰＷＭ制御器
Ｍ…マスター電源装置
ＰＳ…電源システム
Ｓ…スレーブ電源装置
Ｔ１１，Ｔ１２…電源入出力端
Ｔ２２…信号入出力端
【図１】
0005659816.tif 000002
【図２】
0005659816.tif 000003
【図３】
0005659816.tif 000004
【図４】
0005659816.tif 000005